(57)【要約】【課題】本発明は、塗料スラッジを安定的に効率良く回収し得るようにすることにより、原水浄化作用を向上して循環利用させるようにした塗料スラッジ回収装置用吸引式取水機を提供することにある。【解決手段】塗料スラッジ回収装置用吸引式取水機１は、浮上した塗料スラッジを原水と共に吸引する吸引体２と、塗料スラッジが浮遊又は浮上している原水の水位に吸引体２を追従させる変動水位追従体３と、吸引原水から不純ごみと塗料スラッジ等を捕獲すると共に塗料スラッジ等を回収する分離体４と、分離原水と共に塗料スラッジ等を塗料スラッジ回収装置へ給送する給送機５と、からなる。【効果】本発明の構成によれば、塗料スラッジの回収を迅速かつ確実に行うことで、原水を効率良く浄化することが出来るようになる優れた効果がある。【選択図】          図１
2004314035.tif 000002
【特許請求の範囲】
【請求項１】
浮上した不純ごみや塗料スラッジ等を原水と共に吸引する吸引体と、
不純ごみや塗料スラッジ等が浮遊または浮上している原水の水位に上記吸引体を追従させる変動水位追従体と、
吸引した原水から不純ごみや塗料スラッジ等を分離回収する分離体と、
分離後の原水と共に、塗料スラッジ等を塗料スラッジ回収装置へ給送する給送機と、を備えてなり、
原水を吸引分離して分離後の原水と共に塗料スラッジ等を塗料スラッジ回収装置へ給送して浄化した原水を循環利用させる、
ことを特徴とする塗料スラッジ回収装置用吸引式取水機。
【請求項２】
吸引体は、
内部に浮力調整水を収納可能な有底状に形成されたフロートと、
該フロートの上端に連設されると共に原水が流入可能な有底状に形成された吸引カップと、
該吸引カップ内に吸引口が配設された管状の吸引管と、
該吸引管と前記変動水位追従体とを連結する管状の追従管と、
から構成されている、
ことを特徴とする請求項１記載の塗料スラッジ回収装置用吸引式取水機。
【請求項３】
変動水位追従体は、
螺旋状に形成された可撓性のあるホース等追従性のあるホースからなる追従ホースと、
該追従ホースと前記追従管とを連結すると共に、下ばね係止部が設けられた管状の下連設管と、
前記分離体に連結される管状の導入管と、
該導入管と上記追従ホースとを連結すると共に、上ばね係止部が設けられた管状の上連設管と、
上記下ばね係止部と上ばね係止部とに上下端が夫々係止されると共に、
上記下連設管と上連設管とを弾性的に連結する追従ばねと、
から構成されている、
ことを特徴とする請求項１記載の塗料スラッジ回収装置用吸引式取水機。
【請求項４】
追従ホースの外側には、
追従ホースの外形形状を保持するように追従ホースの外側を覆う上下端の中央が開口された管状に形成された追従ホースガイドが設けられている、
ことを特徴とする請求項３記載の塗料スラッジ回収装置用吸引式取水機。
【請求項５】
分離体は、
上端開口が蓋により閉塞された真空圧に耐え得る真空タンクと、
真空タンク内に配設されると共に、不純ごみや塗料スラッジ等を回収可能にパンチングメタルその他からなるストレーナと、
真空タンク内の真空を解除する真空解除バルブと、
真空タンク内の原水を排除するドレンバルブと、
前記導入管から原水を導入する導入バルブと、
から構成されている、
ことを特徴とする請求項１記載の塗料スラッジ回収装置用吸引式取水機。
【請求項６】
給送機は、
真空タンク内を真空にし、かつ真空タンク内に回収した塗料スラッジ等を分離後の原水と共に塗料スラッジ回収装置へ給送するダイヤフラムポンプと、
ダイヤフラムポンプを駆動するエアを供給すると共に、供給を開閉するエアバルブを備えているエアセットと、
ダイヤフラムポンプにより分離後の原水と共に塗料スラッジ等を塗料スラッジ回収装置へ給送する通路である給送管と、
から構成されている、
ことを特徴とする請求項１記載の塗料スラッジ回収装置用吸引式取水機。
【請求項７】
浮上した不純ごみと塗料スラッジ等を原水と共に吸引する吸引体と、
不純ごみや塗料スラッジ等が浮遊または浮上している原水の水位に吸引体を追従させる変動水位追従体と、
吸引原水から不純ごみと塗料スラッジ等を分離回収する回収体と、
該分離後の分離水のみを循環水槽等へ給送する分離水給送機と、
からなる塗料スラッジ回収機を備えてなり、
原水を吸引分離して分離後の分離水のみを循環水槽や塗装ブース等の水使用箇所に給送させることで浄化した原水を循環利用させる、
ことを特徴とする塗料スラッジ回収装置用吸引式取水機。
【請求項８】
回収体は、
上端開口が蓋により閉塞された真空圧に耐え得る真空タンクと、
真空タンク内に配設されると共に不純ごみや塗料スラッジ等を捕獲して回収可能なパンチングメタルその他からなるスラッジ回収体と、
真空タンク内の真空を解除する真空解除バルブと、
真空タンク内の原水を排除するドレンバルブと、
前記導入管から原水を導入する導入バルブと、
から構成されている、
ことを特徴とする請求項７記載の塗料スラッジ回収装置用吸引式取水機。
【請求項９】
分離水給送機は、
真空タンク内を真空にし、かつ真空タンク内で分離した分離後の分離水のみを循環水槽等へ給送するダイヤフラムポンプと、
ダイヤフラムポンプを駆動するエアを供給すると共に、供給を開閉するエアバルブを備えているエアセットと、
ダイヤフラムポンプにより分離後の分離水のみを循環水槽等へ給送する通路である給送管と、
から構成されている、
ことを特徴とする請求項７記載の塗料スラッジ回収装置用吸引式取水機。
【発明の詳細な説明】
【０００１】
【産業上の利用分野】
本発明は、塗料スラッジ回収装置に用いる吸引式取水機に関し、特に塗料スラッジを安定的に効率良く回収し得るようにすることにより、原水浄化作用を向上して循環利用させるようにした塗料スラッジ回収装置用吸引式取水機に関するものである。
【０００２】
【従来の技術】
従来、塗料スラッジ回収装置に用いる取水機に関しては、
（１）フロートポンプ式取水機と、
（２）電気制御式水面追従取水機とが、あった。
【０００３】
このうち、（１）フロートポンプ式取水機にあっては、図６に良く示されているように、フロート水面と空気との境界線に塗料スラッジ１０１が付着して、塗料スラッジ１０１が成長する。  この為、塗料スラッジ１０１の成長に伴い、重量が増加し、フロート１０２が沈んで、吸引口１０３が調整水面より低くなり、浮上スラッジの回収効率が低下するという問題点があった。  さらに、吸込んだ水と空気との割合が常に変化する為、ホース１０４の重さが変動して浮遊（浮上）位置が常に不安定となるという問題点があった。  また、構造上３〜４個のフロート１０２を使用している為、フロート間の設置間隔が狭く、塗料スラッジ１０１の流入を塞止め、塗料本来の粘着力により急激に積層固化が進み、不純ごみと塗料スラッジ１０１を吸込むことができなくなるという問題点があった。
【０００４】
一方、（２）電気制御式水面追従取水機フロートポンプ式取水機は、図７に良く示されているように、電動モートルブロックを使用し、フロートスイッチ、差圧計等による液面制御で吸引口を水面に追従させる装置があるが、計器に塗料スラッジが付着して誤動作が出るという問題点があった。  また、頻繁な上下作動に電動モートルブロックの電気接点が耐えられず、焼付けによる故障が生ずるという問題点があった。  さらに、スイッチに塗料スラッジが付着する為、誤動作を生じ易いという問題点があった。  また、このような故障発生により、設備費用とランニングコストとがアップしたり、設備の運転・停止が必要となる等の問題点があった。
【０００５】
【発明が解決しようとする課題】
このような従来技術の問題点に鑑み、本発明の主な目的は、
吸引口を常時一定レベルで水面下に位置することができるようにして、吸引管が常時水中にあるようにし、エアの吸込とこれに伴うエアハンマを阻止することができるようにすると共に、塗料スラッジの流入と吸引を阻害するホース等の邪魔物が水面上に存在しないようにすることで、塗料スラッジの回収効率を上昇せしめ、これらの相乗効果によって、原水浄化作用を飛躍的に向上し得る塗料スラッジ回収装置用吸引式取水機を提供することにある。
【０００６】
【課題を解決するための手段】
このような目的は、本発明によれば、
浮上した不純ごみや塗料スラッジ等を原水と共に吸引する吸引体と、
不純ごみや塗料スラッジ等が浮遊または浮上している原水の水位に上記吸引体を追従させる変動水位追従体と、
吸引した原水から不純ごみや塗料スラッジ等を分離回収する分離体と、
分離後の原水と共に、塗料スラッジ等を塗料スラッジ回収装置へ給送する給送機と、を備えてなり、
原水を吸引分離して分離後の原水と共に塗料スラッジ等を塗料スラッジ回収装置へ給送して浄化した原水を循環利用させる、
ことを特徴とする塗料スラッジ回収装置用吸引式取水機、
を提供することにより達成される。
【０００７】
【作用】
このように、本発明の塗料スラッジ回収装置用吸引式取水機によれば、
構造が単純かつ安全である為、塗料スラッジの回収を効率的に行うことができると共に、誤動作や故障が生ずることを可及的に阻止できるようにするという考え方であり、
塗料スラッジの回収を迅速かつ確実に行うことで、原水を効率良く浄化することが出来るようになる優れた効果がある。
【０００８】
すなわち、
（１）吸引口を常時一定レベルで水面下に位置させて、吸引口が常時水中にあるようにしたので、エアの吸込とこれに伴うエアハンマを阻止することができる。
（２）スラッジ吸引を阻害するホース等の邪魔物が水面上に存在しないようにしたので、作動を安定化し、スラッジの回収効率をより一層上昇せしめることができる。
（３）水面上に浮上した塗料スラッジを回収できる為、構造を小さくすることができ、スペースを節約できると共に、設備費用とランニングコストとを大幅に安くできる。
（４）変動する水位に対して迅速かつ確実に追従出来るので、設備の運転停止を可及的に減少することができ、浮上した塗料スラッジを効率的に回収することができる。
（５）工場等における汎用性のあるエアを利用した駆動により原水と共に塗料スラッジを連続的に回収できる為、安全性が高いばかりでなく、設備費用を低減できる。
（６）ストレーナにより粗大形状の不純ごみや塗料スラッジ等を捕獲できる為、安定した微粒状の不純ごみや塗料スラッジ等を塗料スラッジ回収装置へ給送し、効率良く回収することが出来る。
（７）ストレーナより目の細かい回収袋をストレーナ内に設置することにより、粗大形状の不純ごみと塗料スラッジに止まらず、微粒状の不純ごみや塗料スラッジを回収することも可能となるので、本機を回収装置として使用することができ、構造を簡易とすることができると共に、維持管理を簡易とし、設備費も大幅に低減できる。
（８）変動する水位に対して迅速かつ確実に追従出来るので、塗料スラッジの回収効率を向上させることで、原水の浄化能力を上昇せしめ、これらの相乗効果によって、浄化作用を飛躍的に向上させることができる。
【０００９】
【発明の実施の形態】
次に、本発明の実施の形態の一実施例について詳述する。
【００１０】
図１〜図４は、本発明に基づく塗料スラッジ回収装置用吸引式取水機の第一実施例を示している。
【００１１】
該塗料スラッジ回収装置用吸引式取水機１は、
浮上した不純ごみや塗料スラッジを原水と共に吸引する吸引体２と、
該不純ごみや塗料スラッジが浮遊または浮上している原水の水位に上記吸引体を追従させる変動水位追従体３と、
該吸引した原水から塗料スラッジ回収装置では回収不能な粗大形状の不純ごみや塗料スラッジ等を分離回収する分離体４と、
該分離後の原水と共に、微粒状の不純ごみや塗料スラッジ等を塗料スラッジ回収装置へ給送する給送機５と、を備えてなり、
原水を吸引分離して分離後の原水と共に、塗料スラッジを塗料スラッジ回収装置へ給送して浄化した原水を循環利用させるものである。
【００１２】
該吸引体２は、
内部に浮力調整水２１を適量収納可能な有底状（本実施例にあっては下部が中空の円錐形または多角錐形等の錐形に形成されると共に、上部が円管状または多角管状等の環状形に形成され、略中空独楽状）に形成されたフロート２２と、
該フロート２２の上端に連設されると共にフロート２２の口径と同口径または小口径（本実施例にあっては小口径）の有底円管状または有底多角管状等の有底管状形（本実施例にあっては有底円管状）に形成され、かつ原水が流入可能な吸引カップ２３と、
該吸引カップ２３内に先端開口である吸引口２４ａが配設されると共に、鉛直方向に接続され、かつ原水が吸引されて流入する管状の吸引管２４と、
該吸引管２４と前記変動水位追従体３とを連結すると共に流入原水を変動水位追従体３へ流過させる（本実施例にあっては鉛直方向に配設された）管状の追従管２５と、から構成されている。
【００１３】
該フロート２２と吸引カップ２３、及び吸引カップ２３と吸引管２４は、夫々固定されており、結果としてフロート２２と吸引カップ２３と吸引管２４とは、一体形成されている。
【００１４】
尚、吸引管２４と追従管２５とは、本実施例のように別個に形成する他、一体としたものであっても良いのは勿論である。
【００１５】
上記変動水位追従体３は、
螺旋状に形成された可撓性のあるホース等追従性のあるホースからなる追従ホース３１と、
該追従ホース３１と前記追従管２５とを連結すると共に、閉塞上端に逆Ｕ字状の下ばね係止部３２ａが設けられた管状の下連設管３２と、
一端が前記分離体４に連結される導入管３３と、
該導入管３３と上記追従ホース３１とを連結すると共に、閉塞下端にＵ字状の上ばね係止部３４ａが設けられた管状の上連設管３４と、
上記下ばね係止部３２ａと上ばね係止部３４ａとに上下端が夫々係止されると共に、上記下連設管３２と上連設管３４とを弾性的に連結する追従ばね３５と、
から構成されている。
【００１６】
上記追従ホース３１は、上記実施例の螺旋状に形成された可撓性のあるホースに限られることなく、曲管状や可撓性材料からなるもの等追従性のあるものならば、種々の形状や大きさや種々の材料のものを適用でき、多くの変形例が考えられる。
【００１７】
一方、上記下連設管３２は、
Ｔ字状のＴ型管３６の縦管部３６ａの内側に嵌合されると共に、該Ｔ型管３６の横管部３６ｂには直管状の連結管３７を介して上記追従ホース３１の下端が連結されており、かつ横管部３６ｂに連通する連通孔３２ｂが開設されている。
【００１８】
また、上記上連設管３４は、上記Ｔ型管３６の縦管部３６ａの内側に嵌合されると共に、該Ｔ型管３６の横管部３６ｂには連結管３７を介して上記追従ホース３１の上端が連結されており、かつ横管部３６ｂに連通する連通孔３４ｂが開設されている。
【００１９】
さらに、前記一端が前記分離体４に連結される導入管３３は、他端が前記上連設管３４の上端に連結されている。
【００２０】
また、本実施例にあっては、追従ホース３１の螺旋形等の追従ホース３１の外形形状を保持するように追従ホース３１の外側を覆うと共に、上下端の中央が開口３８ａされた円管状に形成された追従ホースガイド３８が設けられている。
【００２１】
さらに、前記分離体４は、
上端開口が蓋４１により閉塞された真空圧に耐え得る真空タンク４２と、
真空タンク４２内に配設されると共に、塗料スラッジ回収装置では回収不能な粗大形状の不純ごみや塗料スラッジ等を回収可能にパンチングメタルその他からなるストレーナ４３と、
真空タンク４２内の真空を解除する真空解除バルブ４４と、
真空タンク４２内の原水を排除するドレンバルブ４５と、
前記導入管３３から原水を導入する導入バルブ４６と、
から構成されている。
【００２２】
また、前記給送機５は、
該真空タンク４２内を真空にし、かつ上記真空タンク４２内に、
塗料スラッジ回収装置では回収不能な粗大形状の不純ごみや塗料スラッジ等
を原水と共に導入し、さらに該粗大形状の不純ごみや塗料スラッジ等を分離した原水と共に、微粒状の不純ごみや塗料スラッジ等を塗料スラッジ回収装置へ給送するダイヤフラムポンプ５１と、
該ダイヤフラムポンプ５１を駆動するエアを供給すると共に、供給を開閉するエアバルブ５２を備えているエアセット５３と、
該ダイヤフラムポンプ５１により粗大形状の不純ごみや塗料スラッジ等を除去後の原水と微粒状不純ごみや塗料スラッジ等を塗料スラッジ回収装置へ給送する通路である給送管５４と、
から構成されている。
【００２３】
このように、本発明の塗料スラッジ回収装置用吸引式取水機１によれば、
不純ごみや塗料スラッジ等の回収を効率的に行うことができると共に、誤動作や故障が生ずることを可及的に阻止でき、さらに塗料スラッジの回収を迅速かつ確実に行うことで、原水を効率良く浄化することが出来る。
【００２４】
次に、上記第一実施例の作用について説明する。
【００２５】
このように、上記実施例の塗料スラッジ回収装置用吸引式取水機によれば、
吸引口を常時一定レベルで水面下に位置することができるようにして、吸引口が常時水中にあるようにし、エアの吸込とこれに伴うエアハンマを阻止することができる。
【００２６】
従って、スラッジの吸引を阻害するホース等の邪魔物が水面上に存在しないようにすることで、塗料スラッジの回収効率を上昇せしめ、これらの相乗効果によって、原水浄化作用を飛躍的に向上することが出来るようになる。
【００２７】
すなわち、
（１）まず、水面上に浮上した塗料スラッジを回収するには、吸引カップを水面下１０〜２０ｍｍ程度沈める。
（２）また、水中を浮遊する塗料スラッジを回収するには、該浮遊する塗料スラッジの深さに応じた深さまで吸引カップを沈める。
（３）次に、適切なエアー圧や流量等を設定した後、エアーバルブを開ける。
（４）これにより、ダイヤフラムポンプが運転を開始する。
（５）上記ダイヤフラムポンプを運転開始することにより、原水と共に上記塗料スラッジ等を吸引口から吸水することで、粗大形状の不純ごみや塗料スラッジ等の分離を開始する。
（６）また、該ダイヤフラムポンプの稼働により、真空タンク内が真空になり、吸引口から原水が吸込まれストレーナに粗大形状の不純物等が回収される。
（７）これにより、粗大形状の不純物等がストレーナに捕獲された後、粗大形状の不純ごみや塗料スラッジ等が回収された原水が、微粒状の不純ごみや塗料スラッジ等と共にダイヤフラムポンプにより塗料スラッジ回収装置に給送される。
（８）この際、真空タンク内が満水になると原水の吸引が一時的に停止される。
（９）原水吸引の一時的停止により、真空タンクに原水を給水する通路に設けられた導入バルブを閉鎖して、真空タンクに設けられた真空解除バルブを開放して、分離水がでなくなるまで運転を行う。
（１０）分離水が出なくなったところで、真空解除バルブを閉鎖して、導入バルブを開けて、真空タンクに原水を導入する通路をあけ、原水を吸引する。
（１１）前記ストレーナが粗大形状の不純ごみや塗料スラッジ等で一杯になり、真空タンク内の負圧とポンプ駆動用のエア圧とがバランスした所で、ダイヤフラムポンプが停止して、分離処理が終了する。
（１２）真空タンクの上方に設けられた真空解除バルブを開けて、真空タンク内の真空状態を解除する。
（１３）これにより、真空タンクの上部に設けられた蓋を開けて、ストレーナを取り出す。
（１４）ストレーナの粗大形状の不純ごみや塗料スラッジ等を排除することで、作業を終了し、再び運転を開始する。
（１５）ダイヤフラムポンプの作動を電気的に監視し、運転終了を知らせることができる。
【００２８】
図５は、本発明に基づく塗料スラッジ回収装置用吸引式取水機１の第二実施例を示している。
【００２９】
本第二実施例の塗料スラッジ回収装置用吸引式取水機１は、上記第一実施例と同様に、吸引体２と、変動水位追従体３と、分離体４と、給送機５と、からなるが、該第一実施例と異なり、前記分離体４を利用して独立した塗料スラッジ回収機６を構成したものである。
【００３０】
すなわち、該第二実施例によれば、
該塗料スラッジ回収機６は、
浮上した不純ごみや塗料スラッジ等を原水と共に吸引する吸引体２と、
該不純ごみや塗料スラッジ等が浮遊または浮上している原水の水位に上記吸引体２を追従させる変動水位追従体３と、
該吸引原水から不純ごみや塗料スラッジ等を分離回収する回収体７と、
該分離後の原水のみを循環水槽等へ給送する分離水給送機８と、
からなり、
原水を吸引分離して分離後の分離水のみを循環水槽や塗装ブース等の水使用箇所に給送させることで、浄化した原水を循環利用させるものである。
【００３１】
該回収体７は、
上端開口が蓋４１により閉塞された真空圧に耐え得る真空タンク４２と、
該真空タンク４２内に配設されると共に、粗大形状の不純ごみや塗料スラッジ等を捕獲して回収可能なパンチングメタルその他からなるスラッジ回収体７１と、
上記真空タンク４２内の真空を解除する真空解除バルブ４４と、
真空タンク４２内の原水を排除するドレンバルブ４５と、
前記導入管３３から原水を導入する導入バルブ４６と、から構成されている。
【００３２】
該スラッジ回収体７１は、
上記真空タンク４２内に配設されると共に、粗大形状の不純ごみや塗料スラッジ等を捕獲し、かつ回収可能にパンチングメタルその他からなり、分離後の分離水を循環水槽や塗装ブース等の水使用箇所に給送させるものである。
【００３３】
前記分離水給送機８は、
該真空タンク４２内を真空にし、かつ上記真空タンク４２内で分離した分離後の分離水のみを循環水槽等へ給送するダイヤフラムポンプ５１と、
該ダイヤフラムポンプ５１を駆動するエアを供給すると共に、供給を開閉するエアバルブ５２を備えているエアセット５３と、
該ダイヤフラムポンプ５１により分離後の分離水のみを循環水槽等へ給送する通路である給送管５４と、
から構成されている。
【００３４】
この際、ストレーナ４３より目の細かいスラッジ回収体７１を真空タンク４２内に設置することにより、粗大形状の不純ごみや塗料スラッジ等に止まらず、微粒状の不純ごみや塗料スラッジ等を回収することも可能となるので、本機を回収装置として使用することができる。
【００３５】
従って、原水を吸引分離して分離後の分離水のみを循環水槽や塗装ブース等の水使用箇所に給送させることで、浄化した原水を循環利用させるのである。
【００３６】
次に、本第二実施例の作用について説明する。
【００３７】
このように、上記実施例の塗料スラッジ回収装置用吸引式取水機によれば、
原水を吸引分離して分離後の分離水のみを循環水槽や塗装ブース等の水使用箇所に給送させることで、浄化した原水を循環利用させることが出来るようになる。
【００３８】
すなわち、
（１）まず、適切なエアー圧や流量等を設定した後、エアーバルブを開ける。
（２）これにより、ダイヤフラムポンプが運転を開始する。
（３）上記ダイヤフラムポンプを運転開始することにより、原水と共に上記塗料スラッジを吸引口から吸水することで、不純ごみと塗料スラッジ等の分離を開始する。
（４）また、該ダイヤフラムポンプの稼働により、真空タンク内が真空になり、取水口から原水が吸込まれスラッジ回収体に原水が回収される。
（５）これにより、粗大形状の不純ごみや塗料スラッジ等は、スラッジ回収体に捕獲され、粗大形状の不純ごみと塗料スラッジ等が回収された後、分離水のみがダイヤフラムポンプにより循環水槽や塗装ブース等の水使用箇所に給送される。
（６）この際、真空タンク内が満水になると原水吸引が一時的に停止される。
（７）原水吸引の一時的停止により、真空タンクに原水を給水する通路に設けられた導入バルブを閉鎖して、真空タンクに設けられた真空解除バルブを開放して、分離水がでなくなるまで運転を行う。
（８）分離水が出なくなったところで、真空解除バルブを閉鎖して、導入バルブを開けて、真空タンクに原水を給水する通路をあけ、原水を吸引する。
（９）スラッジ回収体内が粗大形状の不純ごみや塗料スラッジ等で一杯になり、真空タンク内の負圧とポンプ駆動用のエア圧とがバランスした所で、ダイヤフラムポンプが停止して、分離処理が終了する。
（１０）この際、ストレーナより目の細かいスラッジ回収体を真空タンク内に設置することにより、粗大形状の不純ごみや塗料スラッジ等に止まらず、微粒状の不純ごみや塗料スラッジ等を回収して、分離後の分離水のみを循環水槽等へ給送することが可能となるので、本機を回収装置として使用することができる。
（１１）真空タンクの上方に設けられた真空解除バルブを開けて、真空タンク内の真空状態を解除する。
（１２）これにより、真空タンクの上部に設けられた蓋を開けて、スラッジ回収体を取り出す。
（１３）スラッジ回収体を取り出して、スラッジ回収体から粗大形状の不純ごみや塗料スラッジ等を排除することで、作業を終了し、再び運転を開始する。
（１４）ダイヤフラムポンプの作動を電気的に監視し、運転終了を知らせることができる。
【００３９】
尚、本発明は上記実施の形態に限られることなく多くの変形例が考えられる。
【００４０】
例えば、フロート２２、吸引カップ２３、吸引管２４、吸引口２４ａ、追従管２５、追従ホース３１、下連設管３２、下ばね係止部３２ａ、上ばね係止部３４ａ、連通孔３２ｂ、導入管３３、上連設管３４、連通孔３４ｂ、追従ばね３５、Ｔ型管３６、縦管部３６ａ、横管部３６ｂ、連結管３７、追従ホースガイド３８、開口３８ａ、蓋４１、真空タンク４２、ストレーナ４３、給送管５４、スラッジ回収体７１は、上記実施例のものに限られることなく、種々の形状のものや大きさのもの、さらに種々の材料のものを適用でき、性能向上を図る等することが出来、上記実施例に限定されず、多くの変形例が考えられる。
【００４１】
また、例えば、本発明のフロート２２は、上記実施の形態にあっては、下部が中空の円錐形または多角錐形等の錐形に形成されると共に、上部が円管状または多角管状等の環状形に形成され、略中空独楽状に形成したが、これに限られることなく、椀状やカップ状等内部に浮力調整水２１を適量備えることができるものならば、種々の形状や大きさや種々の材料のものを適用でき、多くの変形例が考えられる。
【００４２】
さらに、例えば、本発明の追従管２５は、上記実施の形態にあっては、直管状に形成したが、これに限られることなく、曲管状や可撓性のもの等、種々の形状や大きさや種々の材料のものに適用でき、多くの変形例が考えられる。
【００４３】
また、例えば、本発明の追従ホース３１は、上記実施の形態にあっては、螺旋状に形成された可撓性のあるホースから形成したが、これに限られることなく、曲管状や可撓性材料からなるもの等追従性のあるものならば、種々の形状や大きさや種々の材料のものを適用でき、多くの変形例が考えられる。
【００４４】
【発明の効果】
このように、本発明の塗料スラッジ回収装置用吸引式取水機によれば、
構造が単純かつ安全である為、塗料スラッジ等の回収を効率的に行うことができると共に、誤動作や故障が生ずることを可及的に阻止できるようにするという考え方であり、
塗料スラッジ等の回収を迅速かつ確実に行うことで、原水を効率良く浄化することが出来るようになる優れた効果がある。
【００４５】
すなわち、
（１）吸引口を常時一定レベルで水面下に位置させて、吸引口が常時水中にあるようにしたので、エアの吸込とこれに伴うエアハンマを阻止することができる利点がある。
（２）塗料スラッジの吸引を阻害するホース等の邪魔物が水面上に存在しないようにしたので、作動を安定化し、塗料スラッジ等の回収効率をより一層上昇せしめることができる利点がある。
（３）水面上に浮上した塗料スラッジ等を回収できる為、構造を小さくすることができ、スペースを節約できると共に、設備費用とランニングコストとを大幅に安くできる利点がある。
（４）変動する水位に対して迅速かつ確実に追従出来るので、設備の運転停止を可及的に減少することができ、浮上した塗料スラッジ等を効率的に回収することができる利点がある。
（５）工場等における汎用性のあるエアを利用した駆動により原水と共に塗料スラッジ等を連続的に回収できる為、安全性が高いばかりでなく、設備費用を低減できる利点がある。
（６）ストレーナにより粗大形状の不純ごみや塗料スラッジ等を捕獲できる為、安定した微粒状の不純ごみや塗料スラッジ等を塗料スラッジ回収装置へ給送でき、効率良く粗大形状の不純ごみや塗料スラッジを回収出来る利点がある。
（７）ストレーナより目の細かい回収体をストレーナ内に設置することにより、粗大形状の不純ごみや塗料スラッジ等に止まらず、微粒状の不純ごみや塗料スラッジ等を回収することも可能となるので、本機を回収装置として使用することができ、構造を簡易とすることができると共に、維持管理を簡易とし、設備費も大幅に低減できる利点がある。
（８）変動水位に対して迅速かつ確実に追従出来るので、不純ごみや塗料スラッジ等の回収効率を向上させることで、原水の浄化能力を上昇せしめ、これらの相乗効果によって、浄化作用を飛躍的に向上させることができる利点がある。
【図面の簡単な説明】
【図１】本発明に基づく塗料スラッジ回収装置用吸引式取水機の第一実施例を示す構成図である。
【図２】同実施例の吸引体を示す構成図である。
【図３】同実施例の変動水位追従体を示す構成図である。
【図４】同実施例の分離体と給送機を示す構成図である。
【図５】本発明に基づく塗料スラッジ回収装置用吸引式取水機の第二実施例を示す構成図である。
【図６】従来例の塗料スラッジ回収装置を示す構成図である。
【図７】従来例の塗料スラッジ回収装置を示す構成図である。
【図８】本発明に基づく塗料スラッジ回収装置用吸引式取水機が使用される塗装設備を示す構成図である。
【符号の説明】
１      塗料スラッジ回収装置用吸引式取水機
２      吸引体
３      変動水位追従体
４      分離体
５      給送機
６      塗料スラッジ回収機
７      回収体
８      分離水給送機
２１    浮力調整水
２２    フロート
２３    吸引カップ
２４    吸引管
２４ａ  吸引口
２５    追従管
３１    追従ホース
３２    下連設管
３２ａ  下ばね係止部
３２ｂ  連通孔
３３    導入管
３４    上連設管
３４ａ  上ばね係止部
３４ｂ  連通孔
３５    追従ばね
３６    Ｔ型管
３６ａ  縦管部
３６ｂ  横管部
３７    連結管
３８    追従ホースガイド
３８ａ  開口
４１    蓋
４２    真空タンク
４３    ストレーナ
４４    真空解除バルブ
４５    ドレンバルブ
４６    導入バルブ
５１    ダイヤフラムポンプ
５２    エアバルブ
５３    エアセット
５４    給送管
７１    スラッジ回収体
１０１  塗料スラッジ
１０２  フロート
１０３  吸引口
１０４  ホース
【図１】
2004314035.tif 000003
【図２】
2004314035.tif 000004
【図３】
2004314035.tif 000005
【図４】
2004314035.tif 000006
【図５】
2004314035.tif 000007
【図６】
2004314035.tif 000008
【図７】
2004314035.tif 000009
【図８】
2004314035.tif 000010